(57)【特許請求の範囲】
【請求項１】
ユーザ端末をそれぞれ収容するｎ個（ｎは１以上の整数）のユーザ側装置と、
これらユーザ側装置を分岐側に接続した１×ｎのスプリッタと、
前記ユーザ側装置のそれぞれとの間に論理的に識別されたパスとしてのロジカルリンクを監視用ロジカルリンクとして常時１つ以上設定するユーザ側装置別監視用ロジカルリンク設定手段と、これら監視用ロジカルリンクを通過するパケットを監視するユーザ側装置別パケット監視手段と、このユーザ側装置別パケット監視手段の監視結果を基にしてロジカルリンクの割当の生成あるいは削除の必要性を前記ユーザ側装置ごとに判別するユーザ側装置別ロジカルリンク割当変更判別手段と、このユーザ側装置別ロジカルリンク割当変更判別手段がロジカルリンクの割当の生成あるいは削除を必要と判別したときロジカルリンクの割当の生成あるいは削除を行うロジカルリンク割当変更手段と、ロジカルリンクを双方向用と単方向用で区別するテーブルと、このテーブルから双方向用のロジカルリンクのみを用いて上り帯域の計算を行う上り帯域計算手段を備え、前記１×ｎのスプリッタの集束側に接続されると共にアクセスの対象となるネットワークに接続されたセンタ側装置
とを具備することを特徴とするＰＯＮシステム。
【請求項２】
各ユーザ側装置ごとのロジカルリンクの割当の生成や削除の条件を記したユーザ側装置別生成削除条件テーブルを前記センタ側装置が具備し、前記ユーザ側装置別ロジカルリンク割当変更判別手段はこのユーザ側装置別生成削除条件テーブルを用いてロジカルリンクの割当の生成や削除を判別することを特徴とする請求項１記載のＰＯＮシステム。
【請求項３】
前記ユーザ側装置別生成削除条件テーブルは、ロジカルリンクを識別するためのロジカルリンク識別子を、ユーザ側装置を一意に識別する番号と、ユーザ側装置のＭＡＣアドレスと、ロジカルリンクの種別と、サービスタイプと、ロジカルリンクが単方向か双方向かを示すディレクションデータと、マルチキャストグループ識別子を用いて管理することを特徴とする請求項２記載のＰＯＮシステム。
【請求項４】
前記ユーザ側装置別生成削除条件テーブルは、ロジカルリンクの生成や削除の条件を、パケットのサービスタイプ、ロジカルリンクが単方向か双方向かを示すディレクションデータ、生成フレームパターン、削除フレームパターン、マルチキャストグループ識別子を用いて管理することを特徴とする請求項２記載のＰＯＮシステム。
【請求項５】
前記ユーザ側装置におけるロジカルリンクの処理を行う回路部分が１つのチップに集積されていることを特徴とする請求項１記載のＰＯＮシステム。
【請求項６】
前記センタ側装置におけるロジカルリンクの処理を行う回路部分が１つのチップに集積されていることを特徴とする請求項１記載のＰＯＮシステム。
【請求項７】
ユーザ端末をそれぞれ収容するユーザ側装置と、前記ユーザ端末のアクセスの対象となるネットワークに接続されたセンタ側装置との間のスプリッタを介した伝送路に、これらユーザ側装置とセンタ側装置の間を通過するパケットを常時監視する論理パスとしての監視用ロジカルリンクを設定する監視用ロジカルリンク設定ステップと、
この監視用ロジカルリンク設定ステップで設定された監視用ロジカルリンクを通過するパケットをセンタ側装置側で監視してユーザ側装置ごとに割り当てられる論理パスとしてのロジカルリンクの割当の生成あるいは削除の必要性を判別するパケット監視ステップと、
このパケット監視ステップでロジカルリンクの割当の生成あるいは削除の必要性が判別されたとき該当するロジカルリンクの生成あるいは削除を行うロジカルリンク割当変更ステップと、
前記センタ側装置において、ロジカルリンクを双方向用と単方向用で区別するテーブルから、双方向用のロジカルリンクのみを用いて上り帯域の計算を行う上り帯域計算ステップ
とを具備することを特徴とするロジカルリンク割当方法。
【請求項８】
前記ロジカルリンク割当変更ステップは、ロジカルリンク識別子を管理するロジカルリンク識別子管理テーブルに対して識別子の割当の生成あるいは削除を行うステップと、該当するユーザ側装置にロジカルリンクの変更を通知するステップとを含むことを特徴とする請求項７記載のロジカルリンク割当方法。
【請求項９】
ユーザ端末をそれぞれ収容するユーザ側装置と、前記ユーザ端末のアクセスの対象となるネットワークに接続されたセンタ側装置との間のスプリッタを介した伝送路の区間に前記ユーザ側装置ごとにロジカルリンクをデフォルトで１本ずつ設定するデフォルトロジカルリンク設定手段と、
これらのデフォルトのロジカルリンクを通過するパケットを覗き見ることで前記ユーザ側装置ごとのロジカルリンクの割当の生成あるいは削除の必要性を判別する判別手段と、
この判別手段の判別結果を用いて前記ユーザ側装置ごとのロジカルリンクの割当の生成あるいは削除を実行するロジカルリンク割当変更手段と、
ロジカルリンクを双方向用と単方向用で区別するテーブルと、
このテーブルから双方向用のロジカルリンクのみを用いて上り帯域の計算を行う上り帯域計算手段
とを具備することを特徴とするロジカルリンク割当装置。
【発明の詳細な説明】
【技術分野】
【０００１】
本発明は、ＧＥＰＯＮに代表されるＰＯＮシステム、このＰＯＮシステムで使用されるロジカルリンク割当方法およびロジカルリンク割当装置に関する。
【背景技術】
【０００２】
ユーザがインターネットを利用する場合に、パーソナルコンピュータ等のユーザ端末を直接接続するネットワークをアクセスネットワークという。たとえば、ユーザ端末からインターネット・プロバイダ（ＩＳＰ）までの間のネットワークがアクセスネットワークとなる。インターネットを利用する通信環境は急激に進化しており、光ファイバに分岐装置を接続して信号を複数に分岐すると共に、その信号にギガビットのイーサネット（登録商標）を使用してパケット通信を行うＧＥＰＯＮ（Gigabit Ethernet（登録商標） Passive Optical Network）と呼ばれるアクセスネットワークシステムが注目されている。
【０００３】
図２２は、従来用いられた一般的なＧＥＰＯＮシステムを表わしたものである。このＧＥＰＯＮシステム１００は、イーサネット（登録商標）等のネットワーク１０１が、局舎等に設置されたユーザ側装置（ＯＮＵ：Optical Network Unit）１０２1〜１０２nからの光信号を終端するセンタ側装置（ＯＬＴ：Optical Line Terminal）１０３とスプリッタ１０４を介して接続されている。スプリッタ１０４は、センタ側装置１０３とユーザ側装置１０２1〜１０２nの間で光信号を複数に分岐する装置である。各ユーザ側装置１０２1〜１０２nには、実際のアプリケーションデータの送受信を行うそれぞれのユーザ端末１０５1〜１０５nが対応して接続されている。
【０００４】
このＧＥＰＯＮシステム１００で下り方向伝送が行われる場合、センタ側装置１０３はブロードキャストを行い、ユーザ側装置１０２1〜１０２nがそれぞれ受信すべきデータを選択して受信する。上り方向伝送が行われる場合には、ユーザ側装置１０２1〜１０２nがセンタ側装置１０３に向けて同時にデータを送信する可能性がある。このため、ユーザ側装置１０２1〜１０２nにタイムスロットが割り当てられて、これらのデータの時分割多重が行われる。すなわちセンタ側装置１０３とユーザ側装置１０２1〜１０２nの間には固有の論理的なパスが存在する。このパスをロジカルリンクと呼ぶ。
【０００５】
ロジカルリンクを識別するために、ロジカルリンク識別子がＩＥＥＥ（Institute of Electrical and Electronics Engineers, Inc．）８０２．３ａｈにより規定されており、ＭＰＣＰ（Multi-Point Control Protocol）によりユーザ側装置１０２1〜１０２n単位で割り当てられる。ここでＭＰＣＰとは、（ａ）複数のユーザ側装置１０２1〜１０２nをセンタ側装置１０３が認識し、各ユーザ側装置１０２1〜１０２nとセンタ側装置１０３の間で通信を行うために必要なＲＴＴ（Round Trip Time）、すなわちセンタ側装置１０３からユーザ側装置１０２1〜１０２nまでの往復遅延時間の測定、ロジカルリンク識別子の付与などを行う機能、（ｂ）各ユーザ側装置１０２1〜１０２nにタイムスロットを割り当て、各ユーザ側装置１０２1〜１０２nからの上りバースト信号を時間軸上に多重する多重制御機能、（ｃ）ユーザ側装置１０２1〜１０２nとセンタ側装置１０３間の時刻同期機能の３つの機能をいう。ロジカルリンク識別子は、各ユーザ側装置１０２1〜１０２nがデータの送受信可否を判断するために使用される。ロジカルリンク識別子は、ＰＯＮ区間１０６におけるユーザ側装置１０２1〜１０２nの判別だけでなく、上り方向伝送における帯域の動的割り当ての計算対象として使用される。
【０００６】
図２３は、以上説明したＧＥＰＯＮシステムにおける従来提案されたロジカルリンク識別子の割り当て方式（たとえば非特許文献１参照。）を説明するためのものである。図２３で、図２２と同一部分には同一の符号を付している。このＧＥＰＯＮシステム１２０でセンタ側装置（ＯＬＴ）１０３はネットワーク１０１および第１〜第ｎのユーザ側装置（ＯＮＵ）１０２1〜１０２nと物理的に接続されている。第１〜第ｎのユーザ側装置１０２1〜１０２nは、それぞれサービス加入者のユーザ端末１０５1〜１０５nに対応付けられて接続されている。
【０００７】
センタ側装置１０３とユーザ側装置１０２1〜１０２nは物理的接続１２１1〜１２１nが行われていると共に、ロジカルリンク１２２1〜１２２m、１２３1〜１２３mにより論理的に接続されている。ＧＥＰＯＮシステムの使用者が、あらかじめロジカルリンクの割り当て数や割り当てるべきロジカルリンク識別子を決めておき、事前にネットワーク管理システム（ＮＭＳ：Network Management System）や装置ＣＬＩ（Command Line Interface）等で設定しておくことで、ロジカルリンク１２２1〜１２２m、１２３1〜１２３mが確立している。
【０００８】
この非特許文献１では、ロジカルリンク識別子の割り当て方式は特に規定されていない。一般に、マルチキャスト配信やビデオ・オン・デマンド、音声といったサービスごとに個別のロジカルリンク識別子を割り当てる運用を想定した場合には、次のような問題が存在する。
【０００９】
（１）まず、現状のロジカルリンク識別子の割り当て方式は不要に上り帯域を圧迫するという問題がある。これは、事前にサービス単位でロジカルリンク識別子をユーザ側装置に割り当てる方法を取った場合には、ロジカルリンクを使用しない場合にも、該当するロジカルリンクに対する上り帯域が確保されてしまうためである。動的な上り帯域割り当てを行う場合であっても、常に計算の対象となり、センタ側装置の帯域計算やＰＯＮ区間の上り帯域に影響を与えてしまう。
【００１０】
（２）次に、現状のロジカルリンク識別子の割り当て方式は、サービスの切り替えに時間がかかるという問題がある。これは、ロジカルリンクの生成や削除を行うために、ネットワーク管理システム（ＮＭＳ）またはＣＬＩから装置に対して事前の設定が必要であるからである。このため、サービス切り替えに設定変更を伴うと、人為的なミスが発生すると、サービス中断の可能性もある。
【００１１】
（３）最後に、現状のロジカルリンク識別子の割り当て方式は、サービス単位のＱｏＳ（Quality of Servic）制御が難しいという問題がある。これは、ＧＥＰＯＮシステムが上りの帯域計算をロジカルリンク単位で行っているのがその原因である。すなわち、ユーザ側装置単位でロジカルリンクが割り当てられるような場合には、ユーザ側装置単位でのみ帯域が制御されてしまい、その中の複数のサービスが、ひとまとめで影響を受けるからである。
【００１２】
一方、ＩＧＭＰ（Internet Group Management Protocol）のメッセージを監視して、この結果に基づいてマルチキャスト用のロジカルリンクを設定することが提案されている（たとえば特許文献１参照。）。この提案では、センタ側装置がロジカルリンクの割り当てを行うための条件を記したテーブルを用意しており、ＰＯＮ区間を伝送されるマルチキャスト用ＩＰ（Internet Protocol）プロトコルのメッセージをＩＧＭＰスヌーピングによって監視するようにしている。そして、この監視の結果として、新たに参入したユーザ側装置に対してマルチキャスト用論理リンクを設定する。
【特許文献１】特開２００４−３４３２４３号公報（第００１２段落、図９）
【非特許文献１】筆者  ＩＥＥＥ  Ｃｏｍｐｕｔｅｒ  Ｓｏｃｉｅｔｙ、題名  ＩＥＥＥ８０２．３ａｈ、発行年月日  ２００４年９月７日
【発明の開示】
【発明が解決しようとする課題】
【００１３】
特許文献１に示された技術では、マルチキャスト用ＩＰプロトコルのメッセージを覗き見することによって、ＰＯＮシステムに新たに参入するユーザ側装置に対してマルチキャスト用論理リンクを設定するようにしている。しかしながら、そのユーザ側装置へのロジカルリンクの設定は、特に新たに提案されておらず、従来の非特許文献１で示されたようにロジカルリンク識別子を事前に設定した内容に応じて固定的に割り当てるものでしかない。これによっては、前記した問題点は残されたままである。
【００１４】
そこで、本発明の目的は、個々のユーザ側装置との間で動的にロジカルリンク識別子を割り当て可能なＰＯＮシステム、ロジカルリンク割当方法およびロジカルリンク割当装置を提供することにある。
【課題を解決するための手段】
【００１５】
本発明では、（イ）ユーザ端末をそれぞれ収容するｎ個（ｎは１以上の整数）のユーザ側装置と、（ロ）これらユーザ側装置を分岐側に接続した１×ｎのスプリッタと、（ハ）ユーザ側装置のそれぞれとの間に論理的に識別されたパスとしてのロジカルリンクを監視用ロジカルリンクとして常時１つ以上設定するユーザ側装置別監視用ロジカルリンク設定手段と、これら監視用ロジカルリンクを通過するパケットを監視するユーザ側装置別パケット監視手段と、このユーザ側装置別パケット監視手段の監視結果を基にしてロジカルリンクの割当の生成あるいは削除の必要性をユーザ側装置ごとに判別するユーザ側装置別ロジカルリンク割当変更判別手段と、このユーザ側装置別ロジカルリンク割当変更判別手段がロジカルリンクの割当の生成あるいは削除を必要と判別したときロジカルリンクの割当の生成あるいは削除を行うロジカルリンク割当変更手段と、ロジカルリンクを双方向用と単方向用で区別するテーブルと、このテーブルから双方向用のロジカルリンクのみを用いて上り帯域の計算を行う上り帯域計算手段を備え、１×ｎのスプリッタの集束側に接続されると共にアクセスの対象となるネットワークに接続されたセンタ側装置とをＰＯＮシステムが具備する。
【００１７】
また、本発明では、（イ）ユーザ端末をそれぞれ収容するユーザ側装置と、ユーザ端末のアクセスの対象となるネットワークに接続されたセンタ側装置との間のスプリッタを介した伝送路に、これらユーザ側装置とセンタ側装置の間を通過するパケットを常時監視する論理パスとしての監視用ロジカルリンクを設定する監視用ロジカルリンク設定ステップと、（ロ）この監視用ロジカルリンク設定ステップで設定された監視用ロジカルリンクを通過するパケットをセンタ側装置側で監視してユーザ側装置ごとに割り当てられる論理パスとしてのロジカルリンクの割当の生成あるいは削除の必要性を判別するパケット監視ステップと、（ハ）このパケット監視ステップでロジカルリンクの割当の生成あるいは削除の必要性が判別されたとき該当するロジカルリンクの生成あるいは削除を行うロジカルリンク割当変更ステップと、（ニ）センタ側装置において、ロジカルリンクを双方向用と単方向用で区別するテーブルから、双方向用のロジカルリンクのみを用いて上り帯域の計算を行う上り帯域計算ステップとをロジカルリンク割当方法が具備する。
【００１９】
また、本発明では、（イ）ユーザ端末をそれぞれ収容するユーザ側装置と、ユーザ端末のアクセスの対象となるネットワークに接続されたセンタ側装置との間のスプリッタを介した伝送路の区間にユーザ側装置ごとにロジカルリンクをデフォルトで１本ずつ設定するデフォルトロジカルリンク設定手段と、（ロ）これらのデフォルトのロジカルリンクを通過するパケットを覗き見ることでユーザ側装置ごとのロジカルリンクの割当の生成あるいは削除の必要性を判別する判別手段と、（ハ）この判別手段の判別結果を用いてユーザ側装置ごとのロジカルリンクの割当の生成あるいは削除を実行するロジカルリンク割当変更手段と、（ニ）ロジカルリンクを双方向用と単方向用で区別するテーブルと、このテーブルから双方向用のロジカルリンクのみを用いて上り帯域の計算を行う上り帯域計算手段とをロジカルリンク割当装置が具備する。
【発明の効果】
【００２１】
以上説明したように本発明によれば、個々のユーザ側装置に動的にロジカルリンクを割り当てることにしたので、ユーザ側装置からセンタ側装置へ向けての不要なロジカルリンクが設定されることがなく、また不要なロジカルリンクは動的に削除される。このため、上り帯域に無駄なデータが転送されることがなく、上り帯域を有効に利用することができる。
【００２２】
また、本発明によれば、個々のユーザ側装置に必要なロジカルリンクを管理者が事前に設定する必要がない。しかもロジカルリンクが動的に制御される。このため、サービスの開閉に伴う設定作業が不要であり、オペレーションコストの軽減が可能になる。
【００２３】
更に、個々のロジカルリンクがサービスの必要なときに生成されるので、サービスの品質の向上を図ることができると共に、サービス単位での帯域制御が可能となる。
【発明を実施するための最良の形態】
【００２４】
以下実施例につき本発明を詳細に説明する。
【実施例１】
【００２５】
図１は、本発明の第１の実施例におけるＧＥＰＯＮシステムの概要を示したものである。このＧＥＰＯＮシステム２００でセンタ側装置（ＯＬＴ）２０１は１０００ＢＡＳＥ−Ｔ等のケーブル２０２を介してイーサネット（登録商標）を利用したネットワーク２０３と接続されている。また、センタ側装置２０１は１０００ＢＡＳＥ−ＰＸによる物理的接続２０４1〜２０４nによって第１〜第ｎのユーザ側装置（ＯＮＵ）２０５1〜２０５nと接続されている。ここで、数値ｎは“１”以上の整数である。第１〜第ｎのユーザ側装置２０５1〜２０５nには、それぞれ対応した第１〜第ｎのユーザ端末２０６1〜２０６nが接続されている。
【００２６】
センタ側装置２０１と第１〜第ｎのユーザ側装置２０５1〜２０５nとの間は同一構成になっている。そこで第ｎのユーザ側装置２０５nを代表して取り上げて説明を行うことにする。センタ側装置２０１と第ｎのユーザ側装置２０５nとの間の物理的接続２０４nが行われている箇所は、第１〜第ｍのロジカルリンク２１２1〜２１２mの論理的接続が存在する。ここで数値ｍは“１”以上の整数である。図で実線で示される第１のロジカルリンク２１２1は、ＩＥＥＥ８０２．３ａｈにて規定されるＭＰＣＰ（Multi-Point Control Protocol）により確立するロジカルリンクを表わしている。この１つのロジカルリンクは、第ｎのユーザ側装置２０５nが起動しセンタ側装置２０１が認証している間は常に存在するロジカルリンクである。
【００２７】
なお、図１で物理的接続２０４1の行われている箇所も、第１〜第ｍのロジカルリンク２１１1〜２１１mのうちの第１のロジカルリンク２１１1が起動時に存在する。また、この図では共に“ｍ”ずつロジカルリンク２１１、２１２が示されているが、ロジカルリンク２１１、２１２の数は任意である。
【００２８】
すなわち、図で点線で示される第２のロジカルリンク２１２2、……第ｍのロジカルリンク２１２mは常に存在するものではなく、このＧＥＰＯＮシステム２００でユーザ端末２０５nとネットワーク２０３との間の通信内容を覗き見て、システム側が動的に生成したり削除する結果として存在する可能性のあるロジカルリンクを表わしている。第１のロジカルリンク２１２1を特にデフォルトロジカルリンク（監視用ロジカルリンク）と呼ぶことにする。
【００２９】
図２は、本実施例のセンタ側装置の機能的な構成とシステムのその周辺を表わしたものである。センタ側装置２０１は、図示しないがＣＰＵ（中央処理装置）とこのＣＰＵが実行する制御プログラムを格納した記憶媒体を備えており、以下に説明する機能を実現している。センタ側装置２０１は、この図に示していないネットワーク２０３と接続されるパケット入出力処理部２２１を備えている。パケット入出力処理部２２１は、パケットの送受信に伴うタイミング制御やエラー判定を行うようになっている。パケット入出力処理部２２１に接続されたＬＬＩＤ生成削除判定部２２２は、通過するパケットの中を覗き見て、ＬＬＩＤ生成削除判定部２２２に接続された制御部２２３内のロジカルリンク生成削除条件テーブル２２４を検索するようになっている。そして、一致する条件があれば、制御部２２３内のロジカルリンク識別子管理テーブル（ＯＬＴ）２２５を更新する。
【００３０】
同じく制御部２２３に接続されると共にＬＬＩＤ生成削除判定部２２２に接続された下り方向宛先ＬＬＩＤ判定部２２６は、下り方向のトラフィックに対して、ネットワーク２０３側から受信したパケットのレイヤ２、３、４の各層の情報を覗き見て、ロジカルリンク識別子管理テーブル２２５を検索する。そして、一致する条件から、行き先のロジカルリンク識別子（ＬＬＩＤ）を決定するようにしている。下り方向宛先ＬＬＩＤ判定部２２６に接続されたＱｏＳ制御部２２７は、ロジカルリンク識別子やパケットの種類などに従ってパケット送受信に関する優先制御を行う。ＱｏＳ制御部２２７に接続されたロジカルリンク制御部２２８は、ＰＯＮ区間の送受信に伴うタイミング制御やロジカルリンクの付与、削除およびエラー判定を行うようになっている。
【００３１】
図３は、本実施例のロジカルリンク識別子管理テーブルの構成の一例を表わしたものである。ロジカルリンク識別子管理テーブル２２５は、一意に特定可能なユーザ側装置（ＯＮＵ）番号２３１と、ユーザ側装置本体が持つ固有のＭＡＣ（Media Access Control）アドレス（ＯＮＵ  ＭＡＣ）２３２と、ロジカルリンク識別子２３３と、デフォルトロジカルリンクと動的に割り当てられたロジカルリンクとの区別を表すロジカルリンク種別２３４と、サービスタイプ２３５と、該当ロジカルリンクが単方向であるか、それとも双方向であるかを表すディレクション（Direction）２３６と、マルチキャストグループ識別子２３７から構成されている。ユーザ側装置２０５（図１）がＩＰ（Internet Protocol）ホストを持つ場合には、ＭＡＣアドレス２３２と対になって通信を行う。
【００３２】
サービスタイプ２３５は、パケットのレイヤ２、３、４の各層の情報から成り、該当パケットのサービスタイプ２３５の識別に使用する。たとえば、サービスタイプ２３５が“Ｉｎｔｅｒｎｅｔ”とはインターネットデータ通信を表わしており、“ＶｏＩＰ（Voice over IP）”とは音声トラフィックを表わしている。また、“Ｍｕｌｔｉｃａｓｔ”とは放送用を意味する。たとえば“Ｍｕｌｔｉｃａｓｔ”であれば、パケットの送信先アドレスが該当ＩＰマルチキャストアドレスを持つもの、と定義するなどの使い方を想定している。このロジカルリンク識別子管理テーブル２２５に従ってＱｏＳ処理が実施される。
【００３３】
ディレクション２３６の“Ｕｎｉ”とは「Ｕｎｉｄｉｒｅｃｔｉｏｎａｌ」すなわち単方向を意味し、“Ｂｉ”とは“Ｂｉ−Ｄｉｒｅｃｔｉｏｎａｌ”すなわち双方向を意味している。ディレクション２３６において単方向である場合、該当ロジカルリンクは下り方向の通信専用であり、上り方向の通信に使用されない。マルチキャストグループ識別子２３７は、単方向通信のグループ化に使用される。同一マルチキャストグループ識別子をもつエントリはすべて同じロジカルリンク識別子２３３が与えられ、下り方向において同じパケットを同時に複数のユーザ側装置２０５が受信するための伝送方式、すなわち、マルチキャストを実現する。
【００３４】
図４は、ロジカルリンク識別子管理テーブルの一例を示したものである。この図４は、図３で示したロジカルリンク識別子管理テーブル２２５からユーザ側装置（ＯＮＵ）番号２３１が“ａ”の該当ユーザ側装置の項目だけを抜き出したものである。
【００３５】
図５は、これに対して、図２に示したロジカルリンク生成削除条件テーブルの一例を示したものである。ロジカルリンク生成削除条件テーブル２２４は、サービスタイプ２４１、ディレクション（Direction）２４２、生成フレームパターン２４３、削除フレームパターン２４４およびマルチキャストグループ識別子２４５からなる。センタ側装置２０１（図１）は通過するパケットのレイヤ２、３、４の各層の情報を覗き見て、生成フレームパターン２４３に一致する場合には、図３あるいは図４に示したロジカルリンク識別子管理テーブル２２５のエントリを追加し、ユーザ側装置２０５（図１）へその旨を通知する。削除フレームパターン２４４に一致する場合は、ロジカルリンク識別子管理テーブル２２５のエントリを削除し、ユーザ側装置２０５へその旨を通知するようになっている。たとえば、サービスタイプ２４１の「Ｍｕｌｔｉｃａｓｔ」を例に採ると、サブネット上に、マルチキャストに参加しているホストがあるかどうかをルータが管理するためのプロトコルとしてのＩＧＭＰを監視して、ＩＧＭＰレポート（Report）を受信することで、該当ロジカルリンクを割り当てるようにしている。また、マルチキャストＩＧＭＰリーブ（Leave）メッセージを受信すると、該当するロジカルリンクを解放するようになっている。
【００３６】
図６は、本実施例における第ｎのユーザ側装置の機能的な構成とシステムのその周辺を表わしたものである。第ｎのユーザ側装置２０５nは、図示しないがＣＰＵとこのＣＰＵが実行する制御プログラムを格納した記憶媒体を備えており、以下に説明する機能を実現している。第ｎのユーザ側装置２０５nは、第１〜第ｍのロジカルリンク２１２1〜２１２mと接続されるロジカルリンク制御部２５１と、このロジカルリンク制御部２５１と接続されたＱｏＳ制御部２５２と、第ｎのユーザ端末２０６nと接続されたパケット入出力処理部２５３と、ＱｏＳ制御部２５２および制御部２５４と接続された下り方向ＬＬＩＤフィルタ部２５５と、この下り方向ＬＬＩＤフィルタ部２５５と制御部２５４およびパケット入出力処理部２５３と接続された上り方向送信元ＬＬＩＤ判定部２５６を備えている。制御部２５４には、ロジカルリンク識別子管理テーブル（ＯＮＵ）２５８が備えられている。
【００３７】
ここで、ロジカルリンク制御部２５１、ＱｏＳ制御部２５２およびパケット入出力処理部２５３は、図２に示すロジカルリンク制御部２２８、ＱｏＳ制御部２２７およびパケット入出力処理部２２１と機能がそれぞれ同一であるため、これらの説明は省略する。下り方向ＬＬＩＤフィルタ部２５５は、ロジカルリンク識別子管理テーブル２５８を検索し、下り方向のパケットの通過および廃棄を判定する。上り方向送信元ＬＬＩＤ判定部２５６は、上り方向のトラフィックに対して、第ｎのユーザ端末２０６n側から受信したパケットのレイヤ２、３、４の各層の情報を覗き見て、ロジカルリンク識別子管理テーブル２５８を検索する。そして、一致する条件から、送信元のロジカルリンク識別子を決定するようになっている。
【００３８】
以上のようなＧＥＰＯＮシステム２００の動作を次に説明する。
【００３９】
図７は、センタ側装置の初期化に伴う動作シーケンスを表わしたものである。図２に示したセンタ側装置２０１は起動すると、ロジカルリンク識別子管理テーブル２２５を初期化した状態として構築し（ステップＳ３０１）、ＩＥＥＥ８０２．３ａｈで規定された方法によって、接続状態にある第ｎのユーザ側装置２０５nごとにデフォルトの第１のロジカルリンク２１２1をロジカルリンク識別子管理テーブル２２５に追加する（ステップＳ３０２）。この後、第ｎのユーザ側装置２０５nへロジカルリンク識別子を通知することになる。
【００４０】
図８は、ユーザ側装置の初期化に伴う動作シーケンスを表わしたものである。第ｎのユーザ側装置２０５nは起動すると、図６に示すロジカルリンク識別子管理テーブル２５８を初期化した状態として構築し（ステップＳ３２１）、ＩＥＥＥ８０２．３ａｈで規定された方法によって登録が完了した後、センタ側装置２０１から通知されるロジカルリンク識別子を本テーブルにデフォルトのロジカルリンク識別子として追加することになる（ステップＳ３２２）。
【００４１】
図９は、センタ側装置を通過するパケットの処理の流れを示したものである。たとえば図２に示したセンタ側装置２０１は、パケット入出力処理部２２１でパケットを受信したら（ステップＳ３４１：Ｙ）、自身を通過する全パケットのレイヤ２、３、４の各層の情報を覗き見て監視する。そして、ＬＬＩＤ生成削除判定部２２２で、監視内容がロジカルリンク生成削除条件テーブル２２４の生成フレームパターンまたは削除フレームパターンにマッチするかどうかを判別し（ステップＳ３４２）、マッチする場合には（Ｙ）、更にロジカルリンク生成条件と一致するかを判別する（ステップＳ３４３）。この結果、ロジカルリンク生成条件と一致する場合には（Ｙ）、ロジカルリンク識別子管理テーブル２２５のエントリを追加して（ステップＳ３４４）、該当する第ｎのユーザ側装置２０５nへ、ロジカルリンク識別子管理テーブル２２５のエントリを追加したことの通知を保守運用用の独自のＯＡＭ（Operations, Administration and Maintenance）パケットにより送信する（ステップＳ３４５）。
【００４２】
ステップＳ３４３で削除フレームパターンにマッチした場合には（Ｎ）、ロジカルリンク識別子管理テーブル２２５のエントリを削除して（ステップＳ３４６）、該当する第ｎのユーザ側装置２０５nへ、ロジカルリンク識別子管理テーブル２２５のエントリを削除したことの通知をＯＡＭパケットにより送信する（ステップＳ３４７）。
【００４３】
以上のようにしてステップＳ３４５の処理あるいはステップＳ３４７の処理が終了したら、あるいはステップＳ３４２で監視内容がロジカルリンク生成削除条件テーブル２２４の生成フレームパターンまたは削除フレームパターンにマッチしないと判別された場合には（Ｎ）、ステップＳ３４１で受信したパケットが下り方向のパケットであるかどうかの判別を行う（ステップＳ３４８）。下り方向のパケットである場合には（Ｙ）、ロジカルリンク識別子管理テーブル２２５のエントリを検索して、パケットに与えるべきロジカルリンク識別子を決定する（ステップ３４９）そして、ＱｏＳ制御部２２７で、ロジカルリンク識別子によりパケットのサービスタイプを識別し、これに応じたＱｏＳ処理を行う（ステップＳ３５０）。次に、ロジカルリンク制御部２２８で、実際にロジカルリンク識別子をパケットに付加してＰＯＮ区間へ、該当する第ｎのユーザ側装置２０５nを送信先として送信する（ステップＳ３５１）。
【００４４】
一方、ステップＳ３４８で上り方向のパケットであると判別された場合には（Ｎ）、図１に示すネットワーク２０３にそのパケットを送信する処理が行われる（ステップＳ３５２）。
【００４５】
図１０および図１１は、ユーザ側装置を通過するパケットの処理の流れを示したものである。たとえば図６に示した第ｎのユーザ側装置２０５nは、パケット入出力処理部２５３でパケットを受信したら（ステップＳ３７１：Ｙ）、そのパケットがセンタ側装置２０１から送られたロジカルリンク識別子管理テーブル２５８のエントリの生成、追加あるいは削除を示す独自のＯＡＭパケットであるかどうかをチェックする（ステップＳ３７２）。そのＯＡＭパケットであれば（Ｙ）、このパケットを第ｎのユーザ側装置２０５nで終端し、更にそれがロジカルリンク識別子管理テーブル２５８のエントリの追加を示すＯＡＭパケットであるかを更にチェックする（ステップＳ３７３）。そうであれば（Ｙ）、ロジカルリンク識別子管理テーブル２５８へ新たにロジカルリンクの管理情報のエントリを生成する（ステップＳ３７４）。エントリの追加を示すＯＡＭパケットではない場合、すなわちエントリ削除である場合（ステップＳ３７３：Ｎ）、ロジカルリンク識別子管理テーブル２５８からロジカルリンクの管理情報のエントリを削除する（ステップＳ３７５）。
【００４６】
一方、ステップＳ３７２で該当のＯＡＭパケットが受信されなかったと判別された場合には（Ｎ）、続いて、その受信したパケットの送信方向が下り方向であるかをチェックする（図１１ステップＳ３７６）。下り方向である場合には（Ｙ）、その受信したパケットのレイヤ２、３、４の各層の情報を覗き見て、ロジカルリンク識別子管理テーブル２５８の中に受信したパケットのロジカルリンク識別子が存在するかどうかを検索し（ステップＳ３７７）、存在しない場合には（Ｎ）、そのパケットを廃棄する（ステップＳ３７８）。ロジカルリンク識別子管理テーブル２５８の中に受信したパケットのロジカルリンク識別子が存在した場合は（ステップＳ３７７：Ｙ）、そのパケットはパケット入出力処理部２５３７に送られて、第ｎのユーザ端末２０６nへ送信される（ステップＳ３７９）。
【００４７】
また、ステップＳ３７６で上り方向のパケットであると判別された場合には（Ｎ）、その受信したパケットのレイヤ２、３、４の各層の情報を覗き見て、ロジカルリンク識別子管理テーブル２５８中のエントリと一致するエントリが存在するかどうかを検索する（ステップＳ３８０）。存在すれば（Ｙ）、該当するロジカルリンクのサービスタイプに応じてＱｏＳの処理を行う（ステップＳ３８１）。一致するエントリが存在しなかった場合には（ステップＳ３８０：Ｎ）、デフォルトのロジカルリンクのサービスタイプに応じてＱｏＳの処理を行う（ステップＳ３８２）。ステップＳ３８１またはステップＳ３８２のＱｏＳ処理後、ロジカルリンク制御部２５１（図６）で実際にロジカルリンク識別子をパケットに付加してＰＯＮ区間へセンタ側装置２０１に向けて送信する（ステップＳ３８３）。
【００４８】
＜第１の実施例の変形例＞
【００４９】
図１２は、本発明の第１の実施例の変形例におけるセンタ側装置の機能的な構成とシステムのその周辺を表わしたものである。図１２で図２と同一部分には同一の符号を付しており、これらの説明を適宜省略する。この第１の変形例のセンタ側装置（ＯＬＴ）２０１Ａは、ＬＬＩＤ生成削除判定部２２２、下り方向宛先ＬＬＩＤ判定部２２６、ＱｏＳ制御部２２７およびロジカルリンク制御部２２８を１つのチップ４０１としてモジュール化している。これは、ロジカルリンクと密接に関連する回路部分を１つのモジュールとしてチップ化することによって、たとえば他の回路部分が変更されてもロジカルリンクに関連する部分を流用できるようにするものである。これにより、製造コストの節減と、設計の簡素化が可能になる。
【００５０】
図１３は、この変形例におけるユーザ側装置の機能的な構成とシステムのその周辺を表わしたものである。図１３で図６と同一部分には同一の符号を付しており、これらの説明を適宜省略する。この第ｎのユーザ側装置２０５nＡでも、ロジカルリンク制御部２５１、ＱｏＳ制御部２５２、下り方向ＬＬＩＤフィルタ部２５５および上り方向送信元ＬＬＩＤ判定部２５６は、１つのチップ４０２としてモジュール化している。これにより、上記理由と同様に製造コストの節減と、設計の流用が可能になる。
【実施例２】
【００５１】
図１４は、本発明の第２の実施例におけるＧＥＰＯＮシステムの概要を示したものである。図１４で図１と同一部分には同一の符号を付しており、これらの説明を適宜省略する。
【００５２】
第２の実施例のＧＥＰＯＮシステム５００でセンタ側装置（ＯＬＴ）５０１は１０００ＢＡＳＥ−Ｔ等のケーブル２０２を介してイーサネット（登録商標）を利用したネットワーク２０３と接続される。また、センタ側装置５０１は１０００ＢＡＳＥ−ＰＸを用いた接続経路５０４1〜５０４nを介して第１〜第ｎのユーザ側装置（ＯＮＵ）５０５1〜５０５nと接続されている。ここで、数値ｎは“１”以上の整数である。第１〜第ｎのユーザ側装置５０５1〜５０５nには、それぞれ対応した第１〜第ｎのユーザ端末２０６1〜２０６nが接続されている。
【００５３】
第２の実施例のＧＥＰＯＮシステム５００では、実線で示したデフォルトロジカルリンク５１１は第１〜第ｎのユーザ側装置５０５1〜５０５nにそれぞれ個別に割り当てられるのではなく、これらのユーザ側装置５０５1〜５０５n間で共有している。この点が図１に示した第１の実施例のＧＥＰＯＮシステム２００と大きく異なる。この共通化されたデフォルトロジカルリンク５１１はユーザ側装置５０５1〜５０５nとセンタ側装置５０１の間のロジカルリンクの生成や削除に関する通信にのみ使用し、主信号は通過させない。デフォルトロジカルリンク５１１を共有することによりロジカルリンク識別子では個々のユーザ側装置５０５1〜５０５nを識別できなくなる。このため、第２の実施例のＧＥＰＯＮシステム５００ではユーザ側装置５０５1〜５０５n同士の識別のために、これらユーザ側装置５０５1〜５０５nのＭＡＣアドレスを使用することにしている。
【００５４】
図１５は、この第２の実施例におけるセンタ側装置の機能的な構成とシステムのその周辺を表わしたものである。センタ側装置５０１は、図示しないがＣＰＵとこのＣＰＵが実行する制御プログラムを格納した記憶媒体を備えており、以下に説明する機能を実現している。センタ側装置５０１は、この図に示していないネットワーク２０３と接続されるパケット入出力処理部５２１を備えている。パケット入出力処理部５２１は、パケットの送受信に伴うタイミング制御やエラー判定を行うようになっている。パケット入出力処理部５２１に接続された下り方向宛先ＬＬＩＤ判定部５２６は、制御部５２３とも接続されている。制御部５２３には、ロジカルリンク識別子管理テーブル５２５が配置されている。
【００５５】
下り方向宛先ＬＬＩＤ判定部５２６は、下り方向のトラフィックに対して、ネットワーク２０３側から受信したパケットのレイヤ２、３、４の各層の情報を覗き見て、ロジカルリンク識別子管理テーブル５２５を検索する。そして、一致する条件から、行き先のロジカルリンク識別子を決定するようにしている。下り方向宛先ＬＬＩＤ判定部５２６に接続されたＱｏＳ制御部５２７は、ロジカルリンク識別子やパケットの種類などに従ってパケット送受信に関する優先制御を行う。ＱｏＳ制御部５２７に接続されたロジカルリンク制御部５２８は、ＰＯＮ区間の送受信に伴うタイミング制御やロジカルリンクのエラー判定を行うようになっている。
【００５６】
このように第２の実施例のセンタ側装置５０１は、図２に示したセンタ側装置２０１と比較すると、ＬＬＩＤ生成削除判定部２２２を備えていない。また、制御部５２３にロジカルリンク生成削除条件テーブル２２４が存在しない。これらの機能部分はユーザ側装置５０５1〜５０５nが備えるようになっている。
【００５７】
図１６は、この第２の実施例における第ｎのユーザ側装置の機能的な構成とシステムのその周辺を表わしたものである。第ｎのユーザ側装置５０５nは、図示しないがＣＰＵとこのＣＰＵが実行する制御プログラムを格納した記憶媒体を備えており、以下に説明する機能を実現している。第ｎのユーザ側装置５０５nは、デフォルトロジカルリンク５１１および第２〜第ｍのロジカルリンク２１２2〜２１２mと接続されるロジカルリンク制御部５５１と、このロジカルリンク制御部５５１と接続されたＱｏＳ制御部５５２と、第ｎのユーザ端末２０６nと接続されたパケット入出力処理部５５３と、ＱｏＳ制御部５５２および制御部５５４と接続された下り方向ＬＬＩＤフィルタ部５５５と、この下り方向ＬＬＩＤフィルタ部５５５および制御部５５４と接続された上り方向送信元ＬＬＩＤ判定部５５６と、この上り方向送信元ＬＬＩＤ判定部５５６、制御部５５４およびパケット入出力処理部５５３と接続されたＬＬＩＤ生成削除判定部５５７を備えている。制御部５５４には、ロジカルリンク識別子管理テーブル５５８の他に、ロジカルリンク生成削除条件テーブル５５９が備えられている。
【００５８】
ここで、ロジカルリンク制御部５５１、ＱｏＳ制御部５５２およびパケット入出力処理部５５３は、図１５に示すロジカルリンク制御部５２８、ＱｏＳ制御部５２７およびパケット入出力処理部５２１と機能がそれぞれ同一であるため、これらの説明は省略する。下り方向ＬＬＩＤフィルタ部５５５は、ロジカルリンク識別子管理テーブル５５８を検索し、下り方向のパケットの通過および廃棄を判定する。上り方向送信元ＬＬＩＤ判定部５５６は、上り方向のトラフィックに対して、第ｎのユーザ端末２０６n側から受信したパケットのレイヤ２、３、４の各層の情報を覗き見て、ロジカルリンク識別子管理テーブル５５８を検索する。そして、一致する条件から、送信元のロジカルリンク識別子を決定するようになっている。
【００５９】
また、パケット入出力処理部５５３に接続されたＬＬＩＤ生成削除判定部５５７は、通過するパケットの中を覗き見て、ＬＬＩＤ生成削除判定部５５７に接続された制御部５５４内のロジカルリンク生成削除条件テーブル５５９を検索するようになっている。そして、一致する条件があれば、制御部５５４内のロジカルリンク識別子管理テーブル５５８を更新する。
【００６０】
図１７は、この第２の実施例でセンタ側装置を通過するパケットの処理の流れを示したものである。たとえば図１５に示したセンタ側装置５０１は、パケット入出力処理部５２１でパケットを受信したら（ステップＳ６４１：Ｙ）、受信したパケットがロジカルリンク識別子管理テーブル５２５のエントリ追加削除リクエストのＯＡＭパケットであるかどうかをチェックする（ステップＳ６４２）。この結果、該当するＯＡＭパケットであった場合には（Ｙ）、ロジカルリンク識別子管理テーブル５２５のエントリ追加リクエストと一致するかどうか、すなわち生成リクエストであるかどうかをチェックする（ステップＳ６４３）。生成リクエストであれば（Ｙ）、ロジカルリンク識別子管理テーブル５２５のエントリを追加する（ステップＳ６４４）。そして、「ロジカルリンク識別子管理テーブル５２５のエントリを追加」したことを保守運用用の独自のＯＡＭパケットを用いて第ｎのユーザ側装置５０５n側へ送信する（ステップＳ６４５）。
【００６１】
これに対して、ステップＳ６４３で受信したＯＡＭパケットがロジカルリンク識別子管理テーブル５２５のエントリ追加リクエストと一致しない場合には（Ｎ）、ロジカルリンク識別子管理テーブル５２５のエントリを削除する（ステップＳ６４６）。そして、「ロジカルリンク識別子管理テーブル５２５のエントリを削除」することを第ｎのユーザ側装置５０５nに向けてＯＡＭパケットを用いて送信する（ステップＳ６４７）。
【００６２】
以上のようにしてステップＳ６４５あるいはステップＳ６４７の処理が終了したら、あるいはステップＳ６４２で受信したパケットがロジカルリンク識別子管理テーブル５２５のエントリ追加削除リクエストのＯＡＭパケットではないと判別された場合には（Ｎ）、受信したパケットが下り方向のパケットであるかを判別する（ステップＳ６４８）。下り方向のパケットであると判別された場合（Ｙ）、下り方向宛先ＬＬＩＤ判定部５２６において、パケットに付加すべきロジカルリンク識別子を検索する（ステップＳ６４９）。そして、ＱｏＳ制御部５２７で、ロジカルリンク識別子によりパケットのサービスタイプを識別し、これに応じたＱｏＳ処理を行う（ステップＳ６５０）。次に、ロジカルリンク制御部５２８で、実際にロジカルリンク識別子をパケットに付加してＰＯＮ区間へ、該当する第ｎのユーザ側装置５０５nを送信先として送信する（ステップＳ６５１）。
【００６３】
一方、ステップＳ６４８で上り方向のパケットであると判別された場合には（Ｎ）、図１４に示すネットワーク２０３にそのパケットを送信する処理が行われる（ステップＳ６５２）。
【００６４】
図１８および図１９は、ユーザ側装置を通過するパケットの処理の流れを示したものである。たとえば図１６に示した第ｎのユーザ側装置５０５nは、パケット入出力処理部５５３でパケットを受信したら（ステップＳ６７１：Ｙ）、その受信したパケットのレイヤ２、３、４の各層の情報を覗き見て、ＬＬＩＤ生成削除判定部５５７でロジカルリンク生成削除条件テーブル５５９の生成または削除フレームパターンにマッチするかどうかを判別する（ステップＳ６７２）。マッチする場合には（Ｙ）、ＬＬＩＤ生成削除判定部５５７でそのフレームがロジカルリンク生成条件と一致するかどうかを判別する（ステップＳ６７３）。ロジカルリンク生成条件と一致する場合には（Ｙ）、ロジカルリンク識別子管理テーブル５５８のエントリ追加リクエストを、ＯＡＭパケットを用いてセンタ側装置５０１へ送信する（ステップＳ６７４）。ロジカルリンク生成条件と一致しない場合には（ステップＳ６７３：Ｎ）、ロジカルリンク識別子管理テーブル５５８のエントリ削除リクエストを、ＯＡＭパケットを用いてセンタ側装置５０１へ送信する（ステップＳ６７５）。
【００６５】
一方、ステップＳ６７２でＬＬＩＤ生成削除判定部５５７でロジカルリンク生成削除条件テーブル５５９の生成または削除フレームパターンにマッチしないと判別された場合には（Ｎ）、ステップＳ６７１で受信したパケットがロジカルリンク識別子管理テーブル５５８のエントリの追加あるいは削除のためのＯＡＭパケットであるかどうかの判別を行う（ステップＳ６７６）。そのＯＡＭパケットを受信した場合には（Ｙ）、更にそれがロジカルリンク識別子管理テーブル５５８のエントリの追加のためのＯＡＭパケットであるかどうかのチェックを行う（ステップＳ６７７）。そうであれば（Ｙ）、ロジカルリンク識別子管理テーブル５５８のエントリを追加する（ステップＳ６７８）。ロジカルリンク識別子管理テーブル５５８のエントリの追加のためのＯＡＭパケットではない場合には（ステップＳ６７７：Ｎ）、そのロジカルリンク識別子管理テーブル５５８のエントリを削除する（ステップＳ６７９）。
【００６６】
一方、ステップＳ６７４あるいはステップＳ６７５の処理が終了したとき、あるいはステップＳ６７６でロジカルリンク識別子管理テーブル５５８のエントリの追加あるいは削除のためのＯＡＭパケットの受信データはないと判別された場合には（Ｎ）、ステップＳ６７１で受信したパケットが下り方向のパケットであるかどうかの判別が行われる（図１９ステップＳ６８０）。下り方向のパケットである場合には（Ｙ）、受信したパケットのロジカルリンク識別子がロジカルリンク識別子管理テーブル５５８のエントリに存在するかどうかの判別が行われる（ステップＳ６８１）。エントリに存在すれば（Ｙ）、そのパケットを第ｎのユーザ端末２０６nに送信する（ステップＳ６８２）。受信したパケットのロジカルリンク識別子がロジカルリンク識別子管理テーブル５５８のエントリに存在しなければ（ステップＳ６８１：Ｎ）、そのパケットは廃棄処理される（ステップＳ６８３）。
【００６７】
ステップＳ６８０で下り方向のパケットではないと判別された場合には（Ｎ）、その受信したパケットのロジカルリンク識別子がロジカルリンク識別子管理テーブル５５８のエントリに存在しているかどうかの判別が行われる（ステップＳ６８４）。エントリに存在していれば（Ｙ）、該当するロジカルリンクのサービスタイプに応じてＱｏＳの処理を行う（ステップＳ６８５）。一致するエントリが存在しなかった場合には（ステップＳ６８４：Ｎ）、デフォルトのロジカルリンクのサービスタイプに応じてＱｏＳの処理を行う（ステップＳ６８６）。ステップＳ６８５またはステップＳ６８６のＱｏＳ処理後、ロジカルリンク制御部５５１（図１６）で実際にロジカルリンク識別子をパケットに付加してＰＯＮ区間へセンタ側装置５０１に向けて送信することになる（ステップＳ６８７）。
【００６８】
以上説明した第２の実施例のＧＥＰＯＮシステム５００では、第１の実施例のＧＥＰＯＮシステム２００と比較すると、（ａ）主信号からの制御信号の分離が可能であり、また、（ｂ）デフォルトのロジカルリンクＩＤの集約によって更なるロジカルリンクＩＤの節約が可能になるという利点が生じる。
【００６９】
＜第２の実施例の変形例＞
【００７０】
図２０は、本発明の第２の実施例の変形例におけるセンタ側装置の機能的な構成とシステムのその周辺を表わしたものである。図２０で図１５と同一部分には同一の符号を付しており、これらの説明を適宜省略する。この第２の変形例のセンタ側装置（ＯＬＴ）５０１Ａは、下り方向宛先ＬＬＩＤ判定部５２６、ＱｏＳ制御部５２７およびロジカルリンク制御部５２８を１つのチップ７０１としてモジュール化している。これにより、第１の実施例の変形例と同様に、製造コストの節減と、設計の流用が可能になる。
【００７１】
図２１は、この変形例におけるユーザ側装置の機能的な構成とシステムのその周辺を表わしたものである。図２１で図１６と同一部分には同一の符号を付しており、これらの説明を適宜省略する。この第ｎのユーザ側装置５０５nＡでも、ロジカルリンク制御部５５１、ＱｏＳ制御部５５２、下り方向ＬＬＩＤフィルタ部５５５、上り方向送信元ＬＬＩＤ判定部５５６およびＬＬＩＤ生成削除判定部５５７は、１つのチップ７０２としてモジュール化している。これにより、製造コストの節減と、設計の流用が可能になる。
【図面の簡単な説明】
【００７２】
【図１】本発明の第１の実施例におけるＧＥＰＯＮシステムの概要を示したシステム構成図である。
【図２】第１の実施例でのセンタ側装置の機能的な構成とシステムのその周辺を表わした概略構成図である。
【図３】第１の実施例でのロジカルリンク識別子管理テーブルの構成の一例を表わした説明図である。
【図４】第１の実施例でのロジカルリンク識別子管理テーブルの一例を示した説明図である。
【図５】第１の実施例でのロジカルリンク生成削除条件テーブルの一例を示した説明図である。
【図６】第１の実施例における第ｎのユーザ側装置の機能的な構成とシステムのその周辺を表わした概略構成図である。
【図７】第１の実施例でセンタ側装置の初期化に伴う動作シーケンスを表わした流れ図である。
【図８】第１の実施例でユーザ側装置の初期化に伴う動作シーケンスを表わした流れ図である。
【図９】第１の実施例でセンタ側装置を通過するパケットの処理の流れ図である。
【図１０】第１の実施例ででユーザ側装置を通過するパケットの処理の前半を示した流れ図である。
【図１１】第１の実施例でユーザ側装置を通過するパケットの処理の後半を示した流れ図である。
【図１２】本発明の第１の実施例の変形例におけるセンタ側装置の機能的な構成とシステムのその周辺を表わした概略構成図である。
【図１３】この変形例のユーザ側装置の機能的な構成とシステムのその周辺を表わした概略構成図である。
【図１４】本発明の第２の実施例におけるＧＥＰＯＮシステムの概要を示したシステム構成図である。
【図１５】第２の実施例におけるセンタ側装置の機能的な構成とシステムのその周辺を表わした概略構成図である。
【図１６】第２の実施例における第ｎのユーザ側装置の機能的な構成とシステムのその周辺を表わした概略構成図である。
【図１７】第２の実施例でセンタ側装置を通過するパケットの処理の流れ図である。
【図１８】第２の実施例でユーザ側装置を通過するパケットの処理の前半を示した流れ図である。
【図１９】第２の実施例でユーザ側装置を通過するパケットの処理の後半を示した流れ図である。
【図２０】本発明の第２の実施例の変形例におけるセンタ側装置の機能的な構成とシステムのその周辺を表わした概略構成図である。
【図２１】この変形例のユーザ側装置の機能的な構成とシステムのその周辺を表わした概略構成図である。
【図２２】従来用いられた一般的なＧＥＰＯＮの物理的ネットワーク構造を示したシステム構成図である。
【図２３】ＧＥＰＯＮシステムにおける従来のロジカルリンク識別子割り当て方式を示したシステム構成図である。
【符号の説明】
【００７３】
２００、５００  ＧＥＰＯＮシステム
２０１  センタ側装置（ＯＬＴ）
２０５  ユーザ側装置（ＯＮＵ）
２０６  ユーザ端末
２１２1  デフォルトロジカルリンク（監視用ロジカルリンク）
２１２2〜２１２m  ロジカルリンク（生成または削除されるロジカルリンク）
２２１、２５３  パケット入出力処理部
２２２、５５７  ＬＬＩＤ生成削除判定部
２２３、２５４、５２３、５５４  制御部
２２４、５５９  ロジカルリンク生成削除条件テーブル
２２５、２５８、５２５、５５８  ロジカルリンク識別子管理テーブル
２２６、５２６  下り方向宛先ＬＬＩＤ判定部
２２７、２５２、５２７、５５２  ＱｏＳ制御部
２２８、２５１、５２８、５５１  ロジカルリンク制御部
２５５、５５５  下り方向ＬＬＩＤフィルタ部
２５６、５５６  上り方向送信元ＬＬＩＤ判定部
５１１  デフォルトロジカルリンク
【図１】
0004725228.tif 000002
【図２】
0004725228.tif 000003
【図３】
0004725228.tif 000004
【図４】
0004725228.tif 000005
【図５】
0004725228.tif 000006
【図６】
0004725228.tif 000007
【図７】
0004725228.tif 000008
【図８】
0004725228.tif 000009
【図９】
0004725228.tif 000010
【図１０】
0004725228.tif 000011
【図１１】
0004725228.tif 000012
【図１２】
0004725228.tif 000013
【図１３】
0004725228.tif 000014
【図１４】
0004725228.tif 000015
【図１５】
0004725228.tif 000016
【図１６】
0004725228.tif 000017
【図１７】
0004725228.tif 000018
【図１８】
0004725228.tif 000019
【図１９】
0004725228.tif 000020
【図２０】
0004725228.tif 000021
【図２１】
0004725228.tif 000022
【図２２】
0004725228.tif 000023
【図２３】
0004725228.tif 000024